【手続補正書】
【提出日】平成28年8月5日(2016.8.5)
【手続補正１】
【補正対象書類名】明細書
【補正対象項目名】００１０
【補正方法】変更
【補正の内容】
【００１０】
本発明は、仮想オブジェクトの受け渡しに応じて、現実物体の存在をユーザに認識させることが可能な仕組みを提供することを目的とする。
【手続補正２】
【補正対象書類名】明細書
【補正対象項目名】００１１
【補正方法】変更
【補正の内容】
【００１１】
本発明の情報処理装置は、表示装置において現実物体に仮想オブジェクトの画像を重畳して表示することが可能な情報処理装置であり、前記仮想オブジェクトの３次元空間上の位置を記憶する記憶手段と、前記表示装置を用いた体験をしているユーザの位置姿勢と前記仮想オブジェクトの３次元空間上の位置に応じて前記表示装置に表示する仮想オブジェクトの画像を生成する画像生成手段と、前記画像生成手段により生成された仮想オブジェクトの画像を前記表示装置に出力する出力手段と、を備える情報処理装置であって、ユーザの身体の一部を検出する検出手段と、前記検出手段で検出した前記身体の一部の状態が前記仮想オブジェクトの受け渡し動作を示す場合に、前記仮想オブジェクトの画像の表示状態を、前記仮想オブジェクトの画像と重なる現実物体の存在を認識可能な表示状態に変更するべく制御する表示制御手段と、を備えることを特徴とする。
【手続補正３】
【補正対象書類名】明細書
【補正対象項目名】００１２
【補正方法】変更
【補正の内容】
【００１２】
本発明によれば、仮想オブジェクトの受け渡しに応じて、現実物体の存在をユーザに認識させることが可能な仕組みを提供することができる。
【手続補正４】
【補正対象書類名】明細書
【補正対象項目名】０１６６
【補正方法】変更
【補正の内容】
【０１６６】
また、ＨＭＤ１０１の位置を人の位置であるものとし、手の検出数の代わりに、視界内にＨＭＤ１０１が存在するかを特定して、当該特定されたＨＭＤの数を条件としてもよい。
【手続補正５】
【補正対象書類名】特許請求の範囲
【補正対象項目名】全文
【補正方法】変更
【補正の内容】
【特許請求の範囲】
【請求項１】
表示装置において現実物体に仮想オブジェクトの画像を重畳して表示することが可能な情報処理装置であり、前記仮想オブジェクトの３次元空間上の位置を記憶する記憶手段と、前記表示装置を用いた体験をしているユーザの位置姿勢と前記仮想オブジェクトの３次元空間上の位置に応じて前記表示装置に表示する仮想オブジェクトの画像を生成する画像生成手段と、前記画像生成手段により生成された仮想オブジェクトの画像を前記表示装置に出力する出力手段と、を備える情報処理装置であって、
ユーザの身体の一部を検出する検出手段と、
前記検出手段で検出した前記身体の一部の状態が前記仮想オブジェクトの受け渡し動作を示す場合に、前記仮想オブジェクトの画像の表示状態を、前記仮想オブジェクトの画像と重なる現実物体の存在を認識可能な表示状態に変更するべく制御する表示制御手段と、
を備えることを特徴とする情報処理装置。
【請求項２】
前記表示制御手段は、前記検出手段で検出した前記身体の一部の状態が前記仮想オブジェクトの受け渡し動作を示す場合であって、前記仮想オブジェクトが移動している場合、前記仮想オブジェクトの画像の表示状態を、前記仮想オブジェクトの画像と重なる現実物体の存在を認識可能な表示状態に変更するべく制御することを特徴とする請求項１に記載の情報処理装置。
【請求項３】
前記表示制御手段は、前記検出手段で検出した前記身体の一部の状態が前記仮想オブジェクトの受け渡し動作を示す場合であって、前記仮想オブジェクトと前記表示装置が接近した場合に、前記仮想オブジェクトの表示状態を、前記仮想オブジェクトの画像と重なる現実物体の存在を認識可能な表示状態に変更するべく制御することを特徴とする請求項１又は２に記載の情報処理装置。
【請求項４】
前記検出手段で検出した前記身体の一部の状態が前記仮想オブジェクトの受け渡し動作を示す場合とは、前記身体の一部の数が所定の数に達した場合であることを特徴とする請求項１乃至３のいずれか１項に記載の情報処理装置。
【請求項５】
前記仮想オブジェクトの画像と重なる現実物体の存在を認識可能な表示状態とは、前記仮想オブジェクトの画像を透過させた状態であって、
前記オブジェクトの透過率を、前記検出手段で検出された前記身体の一部の数に応じて決定する透過率決定手段と、
を備え、
前記表示制御手段は、前記検出手段で検出した前記身体の一部の状態が、前記仮想オブジェクトの受け渡し動作を示す場合に、前記仮想オブジェクトの画像を、前記透過率決定手段で決定された透過率に従って透過した状態とすることを特徴とする請求項４に記載の情報処理装置。
【請求項６】
前記検出手段は、ユーザの身体の一部としてユーザの手を検出することを特徴とする請求項１乃至５のいずれか１項に記載の情報処理装置。
【請求項７】
前記表示制御手段は、前記検出手段で検出された前記身体の一部の状態が前記仮想オブジェクトの受け渡し動作を示す場合であって、前記表示装置と前記仮想オブジェクトとの距離が所定の距離範囲内の場合に、前記仮想オブジェクトの画像の表示状態を、前記仮想オブジェクトの画像と重なる現実物体の存在を認識可能な表示状態に変更するべく制御することを特徴とする請求項１乃至６のいずれか１項に記載の情報処理装置。
【請求項８】
前記表示制御手段は、前記検出手段で検出された前記身体の一部の状態が前記仮想オブジェクトの受け渡し動作を示す場合であって、前記検出手段で検出した身体の一部の位置と前記仮想オブジェクトの位置との距離が所定の距離範囲内である場合に、前記仮想オブジェクトの画像の表示状態を、前記仮想オブジェクトの画像と重なる現実物体の存在を認識可能な表示状態に変更するべく制御することを特徴とする請求項１乃至７のいずれか１項に記載の情報処理装置。
【請求項９】
前記表示制御手段は、前記検出手段で検出した前記身体の一部の状態が前記仮想オブジェクトの受け渡し動作を示す場合であって、前記仮想オブジェクトが、複数の前記表示装置にそれぞれ設置された複数の撮像装置の視野内にある場合に、前記仮想オブジェクトの画像の表示状態を、前記仮想オブジェクトの画像と重なる現実物体の存在を認識可能な表示状態に変更するべく制御することを特徴とする請求項１乃至８のいずれか１項に記載の情報処理装置。
【請求項１０】
前記表示制御手段は、前記検出手段で検出した前記身体の一部の状態が前記仮想オブジェクトの受け渡し動作を示す場合であって、前記仮想オブジェクトが表示状態を変更すべきと記憶されたオブジェクトである場合に、前記仮想オブジェクトの画像と重なる現実物体の存在を認識可能な表示状態に変更するべく制御することを特徴とする請求項１乃至９のいずれか１項に記載の情報処理装置。
【請求項１１】
表示装置において現実物体に仮想オブジェクトの画像を重畳して表示することが可能な情報処理装置であり、前記仮想オブジェクトの３次元空間上の位置を記憶する記憶手段と、前記表示装置を用いた体験をしているユーザの位置姿勢と前記仮想オブジェクトの３次元空間上の位置に応じて前記表示装置に表示する仮想オブジェクトの画像を生成する画像生成手段と、前記画像生成手段により生成された仮想オブジェクトの画像を前記表示装置に出力する出力手段と、を備える情報処理装置の制御方法であって、
ユーザの身体の一部を検出する検出工程と、
前記検出工程で検出した前記身体の一部の状態が前記仮想オブジェクトの受け渡し動作を示す場合に、前記仮想オブジェクトの画像の表示状態を、前記仮想オブジェクトの画像と重なる現実物体の存在を認識可能な表示状態に変更するべく制御する表示制御工程と、
を備えることを特徴とする情報処理装置の制御方法。
【請求項１２】
表示装置において現実物体に仮想オブジェクトの画像を重畳して表示することが可能な情報処理装置であり、前記仮想オブジェクトの３次元空間上の位置を記憶する記憶手段と、前記表示装置を用いた体験をしているユーザの位置姿勢と前記仮想オブジェクトの３次元空間上の位置に応じて前記表示装置に表示する仮想オブジェクトの画像を生成する画像生成手段と、前記画像生成手段により生成された仮想オブジェクトの画像を前記表示装置に出力する出力手段と、を備える情報処理装置で実行が可能なプログラムであって、
前記情報処理装置を、
ユーザの身体の一部を検出する検出手段と、
前記検出手段で検出した前記身体の一部の状態が前記仮想オブジェクトの受け渡し動作を示す場合に、前記仮想オブジェクトの画像の表示状態を、前記仮想オブジェクトの画像と重なる現実物体の存在を認識可能な表示状態に変更するべく制御する表示制御手段として機能させることを特徴とする情報処理装置のプログラム。
【請求項１３】
現実物体に仮想オブジェクトの画像を重畳して表示することが可能な表示装置と、前記仮想オブジェクトの３次元空間上の位置を記憶する記憶手段と、前記表示装置を用いた体験をしているユーザの位置姿勢と前記仮想オブジェクトの３次元空間上の位置に応じて前記表示装置に表示する仮想オブジェクトの画像を生成する画像生成手段と、前記画像生成手段により生成された仮想オブジェクトの画像を前記表示装置に出力する出力手段と、を備える情報処理装置と、を含む情報処理システムであって、
ユーザの身体の一部を検出する検出手段と、
前記検出手段で検出した前記身体の一部の状態が前記仮想オブジェクトの受け渡し動作を示す場合に、前記仮想オブジェクトの画像の表示状態を、前記仮想オブジェクトの画像と重なる現実物体の存在を認識可能な表示状態に変更するべく制御する表示制御手段と、
を備えることを特徴とする情報処理システム。
【請求項１４】
現実物体に仮想オブジェクトの画像を重畳して表示することが可能な表示装置と、前記仮想オブジェクトの３次元空間上の位置を記憶する記憶手段と、前記表示装置を用いた体験をしているユーザの位置姿勢と前記仮想オブジェクトの３次元空間上の位置に応じて前記表示装置に表示する仮想オブジェクトの画像を生成する画像生成手段と、前記画像生成手段により生成された仮想オブジェクトの画像を前記表示装置に出力する出力手段と、を備える情報処理装置と、を含む情報処理システムの制御方法であって、
ユーザの身体の一部を検出する検出工程と、
前記検出工程で検出した前記身体の一部の状態が前記仮想オブジェクトの受け渡し動作を示す場合に、前記仮想オブジェクトの画像の表示状態を、前記仮想オブジェクトの画像と重なる現実物体の存在を認識可能な表示状態に変更するべく制御する表示制御工程と、
を含むことを特徴とする情報処理システムの制御方法。
【請求項１５】
現実物体に仮想オブジェクトの画像を重畳して表示することが可能な表示装置と、前記仮想オブジェクトの３次元空間上の位置を記憶する記憶手段と、前記表示装置を用いた体験をしているユーザの位置姿勢と前記仮想オブジェクトの３次元空間上の位置に応じて前記表示装置に表示する仮想オブジェクトの画像を生成する画像生成手段と、前記画像生成手段により生成された仮想オブジェクトの画像を前記表示装置に出力する出力手段と、を備える情報処理装置と、を含む情報処理システムを制御するプログラムであって、
前記情報処理システムを、
ユーザの身体の一部を検出する検出手段と、
前記検出手段で検出した前記身体の一部の状態が前記仮想オブジェクトの受け渡し動作を示す場合に、前記仮想オブジェクトの画像の表示状態を、前記仮想オブジェクトの画像と重なる現実物体の存在を認識可能な表示状態に変更するべく制御する表示制御手段として機能させることを特徴とする情報処理システムのプログラム。